(57)【特許請求の範囲】
【請求項１】
実装基板に実装され得る底面と前記底面に対向する天面とを含む一対の鍔部と、
前記一対の鍔部を連結する巻芯部と、
前記鍔部の前記天面に取り付けられる天板と、
前記鍔部に接着剤を介して取り付けられる金属端子と、
前記巻芯部に巻回され、前記金属端子に電気的に接続されるワイヤと
を備え、
前記金属端子の前記ワイヤと接続されるワイヤ接続部と、前記金属端子の前記鍔部と接続される鍔接続部とは、それぞれ、前記鍔部における前記底面と前記天面との間に位置する周面のうち前記天面側に、配置され、
前記鍔部の前記周面の前記天面側に、凹部が設けられ、
前記凹部は、前記天面に開口され、
前記凹部は、前記天面と異なる方向を向く奥面を有し、
前記ワイヤ接続部と前記鍔接続部は、前記凹部の前記奥面に配置されている、コイル部品。
【請求項２】
前記凹部の前記底面側の端部は、前記鍔部における前記底面と前記天面との間の高さの半分よりも前記天面側に位置する、請求項１に記載のコイル部品。
【発明の詳細な説明】
【技術分野】
【０００１】
本発明は、コイル部品に関する。
【背景技術】
【０００２】
従来、コイル部品としては、特許第５１５６０７６号公報（特許文献１）に記載されたものがある。このコイル部品は、実装基板に実装され得る底面と底面に対向する天面とを含む一対の鍔部と、一対の鍔部を連結する巻芯部と、鍔部の底面側に取り付けられる金属端子と、鍔部の天面に取り付けられる天板と、巻芯部に巻回され、金属端子に電気的に接続されるワイヤとを有する。ワイヤは、金属端子に溶接により接続されており、この溶接部分は、底面に設けられた凹部に位置する。
【先行技術文献】
【特許文献】
【０００３】
【特許文献１】特許第５１５６０７６号公報
【発明の概要】
【発明が解決しようとする課題】
【０００４】
ところで、前記従来のコイル部品では、金属端子とワイヤとの溶接部分は、鍔部の底面側に配置されているので、鍔部の底面を実装基板にはんだを介して実装する場合、はんだの熱が溶接部分に加わるおそれがあり、金属端子とワイヤとの接続信頼性に問題が生じる可能性がある。
【０００５】
また、金属端子の鍔部と接する面の全面が、接着剤を介して、鍔部に取り付けられるので、金属端子と鍔部との接着部分が、鍔部の底面側にも配置されている。このため、はんだの熱が接着部分に加わるおそれがあり、金属端子と鍔部との接続信頼性に問題が生じる可能性がある。
【０００６】
そこで、本発明の課題は、金属端子とワイヤとの接続信頼性、および、金属端子と鍔部との接続信頼性を確保することができるコイル部品を提供することにある。
【課題を解決するための手段】
【０００７】
前記課題を解決するため、本発明のコイル部品は、
実装基板に実装され得る底面と前記底面に対向する天面とを含む一対の鍔部と、
前記一対の鍔部を連結する巻芯部と、
前記鍔部の前記天面に取り付けられる天板と、
前記鍔部に取り付けられる金属端子と、
前記巻芯部に巻回され、前記金属端子に電気的に接続されるワイヤと
を備え、
前記金属端子の前記ワイヤと接続されるワイヤ接続部と、前記金属端子の前記鍔部と接続される鍔接続部とは、それぞれ、前記鍔部における前記底面と前記天面との間に位置する周面のうち前記天面側に、配置される。
【０００８】
本発明のコイル部品によれば、ワイヤ接続部と鍔接続部とは、それぞれ、鍔部における底面と天面との間に位置する周面のうち天面側に配置される。したがって、ワイヤ接続部および鍔接続部を天面側に偏らせて配置するので、鍔部の底面を実装基板にはんだを介して実装する場合、はんだの熱がワイヤ接続部および鍔接続部に加わることを抑制でき、金属端子とワイヤとの接続信頼性、および、金属端子と鍔部との接続信頼性を確保することができる。
【０００９】
好ましくは、一実施形態のコイル部品では、前記鍔部の前記周面の前記天面側に、凹部が設けられ、前記ワイヤ接続部と前記鍔接続部とは、前記凹部に位置する。
【００１０】
前記実施形態のコイル部品によれば、鍔接続部は、凹部に位置するので、金属端子と鍔部とを接着剤により接続する場合、接着剤を凹部に留めることができ、接着剤が鍔部の底面に落下することを防止できる。このため、はんだの熱が接着剤に加わることを抑制できる。また、ワイヤ接続部は、凹部に位置するので、ワイヤ接続部が鍔部の外形から突出することを抑制することができ、鍔部の外形寸法の管理が容易となる。
【００１１】
好ましくは、一実施形態のコイル部品では、前記凹部の前記底面側の端部は、前記鍔部における前記底面と前記天面との間の高さの半分よりも前記天面側に位置する。
【００１２】
前記実施形態のコイル部品によれば、凹部の底面側の端部は、鍔部における底面と天面との間の高さの半分よりも天面側に位置するので、ワイヤ接続部および鍔接続部を底面から離すことができ、はんだが鍔部の底面から大きく濡れ上がっても、はんだの熱がワイヤ接続部および鍔接続部に加わることを一層抑制できる。
【００１３】
好ましくは、一実施形態のコイル部品では、前記凹部は、前記天面に開口されている。
【００１４】
前記実施形態のコイル部品によれば、凹部は、天面に開口されているので、例えば天面から凹部内に、金属端子と鍔部とを接着するための接着剤を容易に流し込むことができる。
【発明の効果】
【００１５】
本発明のコイル部品によれば、ワイヤ接続部と鍔接続部とは、それぞれ、鍔部における底面と天面との間に位置する周面のうち天面側に配置されるので、金属端子とワイヤとの接続信頼性、および、金属端子と鍔部との接続信頼性を確保することができる。
【図面の簡単な説明】
【００１６】
【図１】本発明の一実施形態のコイル部品を示す斜視図である。
【図２】コイル部品を示す斜視図である。
【図３】第１鍔部側の第１金属端子を示す拡大断面図である。
【発明を実施するための形態】
【００１７】
以下、本発明を図示の実施の形態により詳細に説明する。
【００１８】
図１は、本発明の一実施形態のコイル部品を示す斜視図である。図２は、コイル部品を示す斜視図である。図１と図２に示すように、コイル部品１は、コモンモードチョークコイルである。コイル部品１は、コア１０と、コア１０に取り付けられる天板１５と、コア１０に取り付けられる第１、第２金属端子５１，５２と、コア１０に巻回され、第１、第２金属端子５１，５２に電気的に接続される第１、第２ワイヤ２１，２２とを有する。
【００１９】
コア１０は、一対の第１、第２鍔部１１，１２と、一対の第１、第２鍔部１１，１２を連結する巻芯部１３とを有する。コア１０の材料としては、例えば、アルミナ（非磁性体）や、Ｎｉ−Ｚｎ系フェライト（磁性体、絶縁体）や、樹脂などの誘電率が２０以下の材料を用いる。
【００２０】
コア１０の底面を、実装基板に実装され得る面とし、コア１０の天面を、コア１０の底面と反対側の面とする。巻芯部１３の第１、第２鍔部１１，１２を連結する方向（軸方向）をＸ方向とし、コア１０の底面においてＸ方向と直交する方向をＹ方向とし、コア１０の底面と天面とを結ぶ方向をＺ方向とする。Ｚ方向は、Ｘ方向およびＹ方向と直交する。Ｘ方向は、コイル部品１の長さ方向であり、Ｙ方向は、コイル部品１の幅方向であり、Ｚ方向は、コイル部品１の高さ方向である。
【００２１】
巻芯部１３は、その一端から他端に向かって軸方向に延在する。巻芯部１３のＹＺ平面における断面形状は、長方形である。なお、巻芯部１３のＹＺ平面における断面形状は、円などの他の形状であってもよい。
【００２２】
第１鍔部１１の形状は、直方体である。第１鍔部１１は、実装基板に実装され得る底面１１１と、底面１１１にＺ方向に対向する天面１１２と、底面１１１と天面１１２との間に位置する周面としての第１、第２側面１１３，１１４および内、外端面１１５，１１６とを有する。第１側面１１３と第２側面１１４とは、Ｙ方向に対向する。巻芯部１３側からみて、第３側面１１３は左面であり、第４側面１１４は右面である。内端面１１５と外端面１１６とは、Ｘ方向に対向する。内端面１１５は、巻芯部１３側に位置する。第１、第２側面１１３，１１４および内、外端面１１５，１１６は、天面１１２が向く方向と異なる方向を向く面である。
【００２３】
第２鍔部１２の形状は、直方体である。第２鍔部１２は、第１鍔部１１と同様に、底面１２１と、天面１２２と、第１側面１２３と、第２側面１２４と、内端面１２５と、外端面１２６とを有する。
【００２４】
天板１５は、第１鍔部１１の天面１１２と第２鍔部１２の天面１２２とに取り付けられる。天板１５は、コア１０の材料と同じである。コア１０と天板１５は、閉磁路を構成している。
【００２５】
第１金属端子５１は、第１鍔部１１の第１側面１１３と第２鍔部１２の第１側面１２３とに取り付けられる。第２金属端子５２は、第１鍔部１１の第２側面１１４と第２鍔部１２の第２側面１２４とに取り付けられる。第１、第２金属端子５１，５２は、例えば、Ｃｕ、Ｎｉ、Ｓｎ、Ａｕ等の金属板を折り曲げて構成される。第１金属端子５１と第２金属端子５２は、対称に形成される。
【００２６】
第１、第２ワイヤ２１，２２は、巻芯部１３にコイル状に巻回されている。第１、第２ワイヤ２１，２２は、例えば、ペア線として同時に巻回されており、これを、バイファイラ巻きという。第１、第２ワイヤ２１，２２は、例えば、Ｃｕ、Ａｇ、Ａｕ等の導体と導体を被覆する被膜とを有する。
【００２７】
第１ワイヤ２１の第１端部２１ａは、第１鍔部１１の第１金属端子５１に電気的に接続される。第１ワイヤ２１の第２端部２１ｂは、第２鍔部１２の第２金属端子５２に電気的に接続される。
【００２８】
第２ワイヤ２２の第１端部２２ａは、第１鍔部１１の第２金属端子５２に電気的に接続される。第２ワイヤ２２の第２端部２２ｂは、第２鍔部１２の第１金属端子５１に電気的に接続される。
【００２９】
第１、第２金属端子５１，５２は、はんだを介して、実装基板の電極に電気的に接続されて、第１、第２ワイヤ２１，２２は、第１、第２金属端子５１，５２を介して、実装基板の電極に電気的に接続される。
【００３０】
図３は、第１鍔部１１に取り付けられている第１金属端子５１の拡大断面図である。図１と図３に示すように、第１金属端子５１は、第１側面１１３に対向する第１板部５１１と、第１板部５１１に連結され、外端面１１６に対向する第２板部５１２と、第２板部５１２に連結され、底面１１１に対向する第３板部５１３とを有する。
【００３１】
第１板部５１１は、第２板部５１２に連結される本体部５１１ａと、本体部５１１ａよりも第１鍔部１１側に位置する折曲部５１１ｂとを有する。折曲部５１１ｂは、第１鍔部１１と反対側に折り曲げられている。本体部５１１ａは、底面１１１側に位置し、折曲部５１１ｂは、天面１１２側に位置する。
【００３２】
折曲部５１１ｂは、第１ワイヤ２１の第１端部２１ａを挟んだ状態で保持する。第１ワイヤ２１は、例えば熱圧着や溶接などにより、折曲部５１１ｂに電気的に接続される。つまり、折曲部５１１ｂは、第１ワイヤ２１と接続されるワイヤ接続部５１ａを含む。また、折曲部５１１ｂは、接着剤５を介して、第１側面１１３に取り付けられる。つまり、折曲部５１１ｂは、第１鍔部１１と接続される鍔接続部５１ｂを含む。
【００３３】
ワイヤ接続部５１ａと鍔接続部５１ｂとは、それぞれ、第１側面１１３の天面１１２側に、配置される。具体的に述べると、第１側面１１３の天面１１２側に、凹部１６が設けられている。折曲部５１１ｂは、凹部１６に配置されて、ワイヤ接続部５１ａと鍔接続部５１ｂは、凹部１６に位置する。
【００３４】
凹部１６は、天面１１２、内端面１１５および外端面１１６に開口され、底面１１１に開口されていない。つまり、凹部１６は、底面１１１側に段差を有する。凹部１６の底面１１１側の段差の端部１６ａは、第１鍔部１１における底面１１１と天面１１２との間の高さの半分よりも天面１１２側に位置する。
【００３５】
凹部１６の奥面１６ｂは、Ｙ方向を向く面であり、奥面１６ｂに、接着剤５が塗布され、ワイヤ接続部５１ａおよび鍔接続部５１ｂが、奥面１６ｂに配置される。言い換えると、ワイヤ接続部５１ａおよび鍔接続部５１ｂは、第１鍔部１１における天面１１２が向く方向と異なる方向を向く面に配置される。したがって、ワイヤ接続部５１ａおよび鍔接続部５１ｂの設置面積を、天面１１２と平行でない方向に広げることができる。つまり、凹部１６を天面１１２と平行でない方向に広げることができる。
【００３６】
これに対して、ワイヤ接続部５１ａおよび鍔接続部５１ｂを、天面１１２と平行な面に設置すると、ワイヤ接続部５１ａおよび鍔接続部５１ｂを設置する方向を、天面１１２と平行な方向に広げることになる。つまり、凹部１６を天面１１２と平行な方向に広げることになる。この結果、天板１５と天面１１２との接触面積が小さくなり、つまり、コア１０と天板１５とで構成される閉磁回路の断面積が小さくなって、インダクタンスが小さくなる。
【００３７】
図１に示されるように、第１鍔部１１に取り付けられている第２金属端子５２についても、第１金属端子５１と同様の構成である。つまり、第２金属端子５２は、第２側面１１４に対向する第１板部５２１と、第１板部５２１に連結され、外端面１１６に対向する第２板部５２２と、第２板部５２２に連結され、底面１１１に対向する第３板部５２３とを有する。
【００３８】
第１板部５２１は、本体部５２１ａと折曲部５２１ｂとを有する。折曲部５２１ｂは、ワイヤ接続部５２ａと鍔接続部５２ｂとを有する。ワイヤ接続部５２ａと鍔接続部５２ｂとは、それぞれ、第２側面１１４の天面１１２側に、配置される。具体的に述べると、第２側面１１４の天面１１２側に、凹部１６が設けられ、ワイヤ接続部５２ａと鍔接続部５２ｂは、凹部１６に位置する。
【００３９】
第４側面１１４の凹部１６は、第３側面１１３の凹部１６と同様の構成である。つまり、凹部１６は、天面１１２、内端面１１５および外端面１１６に開口され、底面１１１に開口されていない。凹部１６の底面１１１側の端部１６ａは、第１鍔部１１における底面１１１と天面１１２との間の高さの半分よりも天面１１２側に位置する。ワイヤ接続部５２ａおよび鍔接続部５２ｂは、凹部１６の奥面１６ｂに配置される。言い換えると、ワイヤ接続部５２ａおよび鍔接続部５２ｂは、第１鍔部１１における天面１１２が向く方向と異なる方向を向く面に配置される。
【００４０】
第２鍔部１２に取り付けられる第１、第２金属端子５１，５２の構成は、第１鍔部１１に取り付けられる第１、第２金属端子５１，５２の構成と同様であるため、その説明を省略する。第２鍔部１２の第１、第２側面１２３，１２４に設けられる凹部１６は、第１鍔部１１に設けられる凹部１６と同様であるため、その説明を省略する。
【００４１】
前記コイル部品１の第１鍔部１１に取り付けられる第１金属端子５１によれば、以下の効果を有する。なお、第１鍔部１１に取り付けられる第２金属端子５２や、第２鍔部１２に取り付けられる第１、第２金属端子５１，５２についても同様であるため、その説明を省略する。
【００４２】
ワイヤ接続部５１ａと鍔接続部５１ｂとは、それぞれ、第１鍔部１１における底面１１１と天面１１２との間に位置する第１側面１１３のうち天面１１２側に配置される。したがって、ワイヤ接続部５１ａおよび鍔接続部５１ｂを天面１１２側に偏らせて配置するので、第１鍔部１１の底面１１１を実装基板にはんだを介して実装する場合、はんだの熱がワイヤ接続部５１ａおよび鍔接続部５１ｂに加わることを抑制でき、第１金属端子５１と第１ワイヤ２１との接続信頼性、および、第１金属端子５１と第１鍔部１１との接続信頼性を確保することができる。
【００４３】
また、ワイヤ接続部５１ａを第１鍔部１１の天面１１２に配置しないので、第１鍔部１１の天面１１２と天板１５との接触面積を広くすることができ、つまり、コア１０と天板１５とで構成される閉磁回路の断面積が大きくなって、小型にしても高インダクタンスを得ることができる。
【００４４】
また、鍔接続部５１ｂは、凹部１６に位置するので、第１金属端子５１と第１鍔部１１とを接着剤５により接続する場合、接着剤５を凹部１６に留めることができ、接着剤５が第１鍔部１１の底面１１１に落下することを防止できる。このため、はんだの熱が接着剤５に加わることを抑制できる。また、ワイヤ接続部５１ａは、凹部１６に位置するので、ワイヤ接続部５１ａが第１鍔部１１の外形から突出することを抑制することができ、第１鍔部１１の外形寸法の管理が容易となる。
【００４５】
また、凹部１６の底面１１１側の端部１６ａは、第１鍔部１１における底面１１１と天面１１２との間の高さの半分よりも天面１１２側に位置するので、ワイヤ接続部５１ａおよび鍔接続部５１ｂを底面１１１から離すことができ、はんだが第１鍔部１１の底面１１１から第１鍔部１１に大きく濡れ上がっても、はんだの熱がワイヤ接続部５１ａおよび鍔接続部５１ｂに加わることを一層抑制できる。
【００４６】
また、凹部１６は、天面１１２に開口されているので、天面１１２から凹部１６内に、第１金属端子５１と第１鍔部１１とを接着するための接着剤５を容易に流し込むことができる。接着剤５を流し込む方法としては、例えば、転写やディスペンス等を用いることができる。
【００４７】
また、第１金属端子５１の鍔接続部５１ｂは、第１鍔部１１の第１側面１１３に位置するので、第１金属端子５１の第１板部５１１は、第１側面１１３と接着されている。つまり、第２板部５１２および第３板部５１３は、底面１１１および外端面１１６との間で接着されておらず、第２板部５１２と外端面１１６との間、および、第３板部５１３と底面１１１との間に、隙間を設けることができる。
【００４８】
そして、第２板部５１２および第３板部５１３を実装基板にはんだにより実装したとき、実装基板に撓みが生じると、第１金属端子５１は、撓みによる応力を受けるが、この応力は、第２板部５１２と外端面１１６との間の隙間、および、第３板部５１３と底面１１１との間の隙間により、第１鍔部１１に伝達され難くなる。したがって、実装基板に振動や衝撃が加わっても、振動や衝撃による応力を第１金属端子５１が吸収して、第１鍔部１１に負荷をかけない。
【００４９】
なお、本発明は上述の実施形態に限定されず、本発明の要旨を逸脱しない範囲で設計変更可能である。例えば、金属端子やワイヤの数量を増減してもよい。鍔部の形状を、直方体に限らず、底面と天面を含む角柱や円柱としてもよい。
【００５０】
また、第１鍔部に取り付けられる第１金属端子において、ワイヤ接続部と鍔接続部とは、それぞれ、第１鍔部の第１側面に配置されているが、第１鍔部における底面と天面との間に位置する周面、つまり、第１、第２側面および内、外端面の何れかの面に配置されていればよい。ワイヤ接続部と鍔接続部とは、それぞれ、同一の第１側面に配置されているが、異なる面に配置されていてもよい。なお、第１鍔部に取り付けられる第２金属端子や、第２鍔部に取り付けられる第１、第２金属端子についても同様である。
【００５１】
第１、第２鍔部の第１、第２側面に凹部を設けて、この凹部にワイヤ接続部および鍔接続部を配置しているが、第１、第２側面に凹部を設けないで平坦面として、この平坦面にワイヤ接続部および鍔接続部を配置するようにしてもよい。
【００５２】
第１、第２鍔部の第１、第２側面に凹部を設けているが、第１、第２鍔部の内、外端面に凹部を設けて、この凹部にワイヤ接続部および鍔接続部を配置してもよい。
【００５３】
凹部は、天面、内端面および外端面に開口されているが、天面、内端面および外端面の少なくとも１つに開口されていてもよく、または、天面、内端面および外端面の何れにも開口されていなくてもよい。
【００５４】
凹部の底面側の端部は、第１、第２鍔部における底面と天面との間の高さの半分よりも天面側に位置しているが、第１、第２鍔部における底面と天面との間の高さの半分よりも底面側に位置していてもよい。
【符号の説明】
【００５５】
１  コイル部品
５  接着剤
１０  コア
１１  第１鍔部
１１１  底面
１１２  天面
１１３  第１側面
１１４  第２側面
１１５  内端面
１１６  外端面
１２  第２鍔部
１２１  底面
１２２  天面
１２３  第１側面
１２４  第２側面
１２５  内端面
１２６  外端面
１３  巻芯部
１５  天板
１６  凹部
１６ａ  端部
１６ｃ  奥面
２１  第１ワイヤ
２２  第２ワイヤ
５１  第１金属端子
５１ａ  ワイヤ接続部
５１ｂ  鍔接続部
５２  第２金属端子
５２ａ  ワイヤ接続部
５２ｂ  鍔接続部
【図１】
0006332073.tif 000002
【図２】
0006332073.tif 000003
【図３】
0006332073.tif 000004